(57)【要約】【課題】輝度ムラが目立ちにくい表示装置を提供する。【解決手段】表示装置１は、透光性を有し、かつ前面に絵柄２０が設けられた表示パネル２と、表示パネル２の後方に位置する導光板３と、導光板３に向けて光を出射する光源装置４と、を備える。表示パネル２の端部２１の後面と、導光板３の端部２１に対向する部分の前面の少なくとも一方に、凸部５が設けられている。【選択図】図２
2020140132.tif 000002
【特許請求の範囲】
【請求項１】
透光性を有し、かつ前面に絵柄が設けられた表示パネルと、
前記表示パネルの後方に位置する導光板と、
前記導光板に向けて光を出射する光源装置と、を備え、
前記表示パネルの端部の後面と、前記導光板の前記端部に対向する部分の前面の少なくとも一方に、凸部が設けられている、
表示装置。
【請求項２】
前記表示パネルの前記端部の前方を覆うカバーを更に備える、
請求項１に記載の表示装置。
【請求項３】
前記表示パネルは、四辺を有する矩形状のパネルであり、
前記凸部は、前記四辺のうちの一つの辺に沿って延びている、
請求項１又は２に記載の表示装置。
【請求項４】
前記凸部は、前記一つの辺の全体にわたる長さを有する、
請求項３に記載の表示装置。
【請求項５】
前記凸部の長さ方向の中央部は、前記凸部の長さ方向の両端部よりも突出長さが大きい、
請求項４に記載の表示装置。
【発明の詳細な説明】
【技術分野】
【０００１】
本開示は、表示装置に関する。
【背景技術】
【０００２】
従来、誘導灯等として用いられる表示装置として、例えば、特許文献１に記載の照明装置が知られている。
【０００３】
この照明装置は、誘導表示が表示された表示パネルと、表示パネルの裏面側に配設される導光板と、導光板に向けて光を出射する光源ユニットとを備える。
【先行技術文献】
【特許文献】
【０００４】
【特許文献１】特開２０１０−１０２８５８号公報
【発明の概要】
【発明が解決しようとする課題】
【０００５】
ところで、従来の表示装置（特許文献１に記載の照明装置）では、表示パネルもしくは導光板に成形時等に反りが生じて、表示パネルと導光板とが中央部において密着する場合がある。この場合、表示パネルの表面の中央部の輝度がその周囲の部分の輝度よりも高くなって、輝度ムラが目立ちやすい。
【０００６】
上記事情に鑑みて、本開示は、輝度ムラが目立ちにくい表示装置を提供することを目的とする。
【課題を解決するための手段】
【０００７】
本開示に係る一態様の表示装置は、透光性を有し、かつ前面に絵柄が設けられた表示パネルと、前記表示パネルの後方に位置する導光板と、前記導光板に向けて光を出射する光源装置と、を備える。前記表示パネルの端部の後面と、前記導光板の前記端部に対向する部分の前面の少なくとも一方に、凸部が設けられている。
【発明の効果】
【０００８】
本開示は、輝度ムラが目立ちにくい表示装置を提供することができる。
【図面の簡単な説明】
【０００９】
【図１】図１は、実施形態１の表示装置を示す斜視図である。
【図２】図２は、図１のＡ―Ａ線における断面図である。
【図３】図３は、同上の表示装置が備える表示パネルを示す斜視図である。
【図４】図４は、同上の表示装置を示す分解斜視図である。
【図５】図５は、同上の表示パネルの変形例の要部を示す拡大斜視図である。
【図６】図６は、実施形態２の表示装置の要部を示す断面図である。
【発明を実施するための形態】
【００１０】
（実施形態１）
（１）概要
図１及び図２には、実施形態１の表示装置１が示されている。表示装置１は、透光性を有し、かつ前面に絵柄２０が設けられた表示パネル２と、表示パネル２の後方に位置する導光板３と、導光板３に向けて光を出射する光源装置４と、を備える。表示パネル２の端部２１の後面と、導光板３の端部２１に対向する部分の前面の少なくとも一方（本実施形態では端部２１の後面のみ）に、凸部５が設けられている。
【００１１】
上記構成を備えることで、表示装置１では、表示パネル２と導光板３とは、凸部５が設けられた部分、つまり、表示パネル２の端部２１において密着しやすい。そのため、表示装置１では、表示パネル２もしくは導光板３に成形時等に反りが生じた場合に表示パネル２と導光板３とが中央部において密着しにくく、表示パネル２の前面の中央部の輝度がその周囲の部分の輝度よりも高くなりにくくて、輝度ムラが目立ちにくい。
【００１２】
（２）詳細
以下、本実施形態の表示装置１について更に詳しく説明する。表示装置１は、本実施形態では、避難誘導用の誘導灯である。本明細書では、図１に示す矢印の向きで表示装置１の上下前後左右の各方向を定義し、各構成について説明する。
【００１３】
表示装置１は、表示パネル２及び導光板３を支持するパネルケース６と、光源装置４を発光させるための各種の電気機器が収容される筐体７を更に備える。各種の電気機器は、例えば、端子台８と電源装置９と制御装置１０である（図４参照）。
【００１４】
（２−１）表示パネル
表示パネル２は、厚み方向（前後方向）に見て、四辺を有する矩形状のパネルである。表示パネル２は、樹脂成型品であり、例えば、アクリル樹脂で形成される。
【００１５】
図３に示すように、本実施形態では、表示パネル２は、透光性を有する矩形板状のパネル本体２２と、パネル本体２２の左右の端部から後方に突出した一対の側板部２３と、を含む。図２に示すように、パネル本体２２の前面に、絵柄２０が塗装により形成されている。
【００１６】
図２及び図３に示すように、パネル本体２２の上端部の後面に、後方に向けて突出する凸部５が設けられている。つまり、本実施形態では、表示パネル２の端部２１は、パネル本体２２の上端部である。
【００１７】
凸部５は、表示パネル２の四辺のうちの一つの辺（本実施形態ではパネル本体２２の上端の辺）に沿って延びている。凸部５は、表示パネル２の一つの辺（本実施形態ではパネル本体２２の上端の辺）の全体にわたる長さを有する。
【００１８】
本実施形態では、凸部５は、後方から見て矩形状の一つの突起である。凸部５の突出長さ（前後方向の長さ）は、凸部５の長さ方向（左右方向）にわたって一定である。凸部５の幅（上下方向の長さ）は、凸部５の長さ方向にわたって一定である。凸部５の突出長さは、パネル本体２２の成形時に生じる後方に凸の反りや、周囲の環境の影響を受けて熱収縮したときに生じる後方に凸の反りの先端よりも、凸部５の先端（後端）が後方に位置するように、その長さが設定される。凸部５の突出長さは、例えば、パネル本体２２の厚み（前後方向の長さ）に対して、５〜２５％程度である。
【００１９】
絵柄２０は、緑色と白色の透光性の塗料で形成された絵柄であり、本実施形態では、人物を模したピクトグラムである。更に詳しくは、図１に示すように、絵柄２０は、避難口であることを示すシンボルであって、シンボルの色彩が緑色であり、シンボルの地の色彩が白色である。緑色は、ＪＩＳ  Ｚ  ９１０３で定められた色度座標の緑色の色相のものが用いられる。なお、絵柄２０は、図１に示す絵柄に限らず、例えば、避難の方向を示す矢印の形のシンボルや、避難口であることを示す「非常口ＥＸＩＴ」の文字であってもよい。
【００２０】
図３に示すように、パネル本体２２の下面の左右方向の中央部には、パネルケース６に対する位置決めに用いられる突起２２０が設けられている。
【００２１】
一対の側板部２３は、パネル本体２２の左右の端部の全体からそれぞれ後方に突出している。一対の側板部２３のそれぞれは、上下方向に細長い矩形板状である。一対の側板部２３のそれぞれの左右方向外側を向く面には、パネルケース６に対する位置決めに用いられる突起２３０が設けられている。
【００２２】
一対の側板部２３のそれぞれは、凸部５の左右の端部と一体に設けられている。一対の側板部２３のそれぞれは、凸部５よりも後方に突出している。
【００２３】
（２−２）導光板
図２に示す導光板３は、樹脂成型品であり、例えば、アクリル樹脂で形成される。導光板３は、矩形板状であり、前後方向に沿った厚みを有する。導光板３は、上面３０が、光源装置４から出射された光が入射する入射面であり、前面３１が、導光板３の内部に入射された光が出射される出射面である。
【００２４】
導光板３の後面３２には、前面３１の全体から光が略均一に出射されるように、光を反射及び拡散させる反射拡散機能が付与されている。反射拡散機能は、後面３２自体に凹凸状の拡散パターンを形成することによって付与してもよいし、反射拡散機能を有する他の部材（パネルケース６の後板６０等）を後面３２に積層することで付与してもよい。
【００２５】
導光板３の左右長さは、表示パネル２の一対の側板部２３間の左右方向の距離と略同じである。導光板３の上下長さは、表示パネル２のパネル本体２２の上下長さと略同じである。
【００２６】
（２−３）光源装置
図１、図２及び図４に示すように、光源装置４は、光源４０と、棒状の導光部材４１と、光源４０と導光部材４１を収容するカバー４２とを備える。
【００２７】
光源４０は、例えば、発光ダイオードである。導光部材４１は、左右方向に長尺な角棒状である。導光部材４１は、左右の端面の少なくとも一方（本実施形態では左面）が、光源４０からの光が入射される入射面４１０を構成し、下面が光を出射する出射面４１１を構成している。導光部材４１は、導光板３と同じ材質の樹脂成型品であり、例えばアクリル樹脂で形成される。
【００２８】
カバー４２は、左右方向に長尺な矩形の箱型である。カバー４２は、透光性を有さない樹脂等の材料で形成される。カバー４２は、後面及び下面に開口を有する箱型である。カバー４２は、前壁４２０、左右一対の側壁４２１、上壁４２２及び後壁４２３を一体に有する。壁４２０，４２１，４２２，４２３のそれぞれは、矩形板状である。
【００２９】
カバー４２内には、導光部材４１の左右の端面の一方（本実施形態では左端面）に光源４０が対向するように、導光部材４１と光源４０が収容される。
【００３０】
光源４０から導光部材４１の入射面４１０へ入射された光は、導光部材４１の下面（出射面４１１）の左右方向の全体から下方に出射され、これにより、導光板３の上面３０の左右方向の全体に、光が入射される。
【００３１】
前壁４２０は、導光部材４１の下面（出射面４１１）よりも下方に突出した部分を含む。この部分が、表示パネル２の端部２１の前方に位置する。つまり、表示装置１は、表示パネル２の端部２１の前方を覆うカバーを備える。本実施形態では、このカバーは、カバー４２の一部（前壁４２０の下部）で構成されている。
【００３２】
後壁４２３の後面には、筐体７への取り付けに用いられる取付部４３が設けられている（図４参照）。
【００３３】
（２−４）パネルケース
図２及び図４に示すパネルケース６は、表示パネル２と導光板３を支持するケースである。パネルケース６は、透光性を有さない樹脂等の材料で形成される。パネルケース６は、上面及び前面が開口した扁平な矩形の箱型である。
【００３４】
パネルケース６は、後板６０と、表示パネル２の左右の側面を支持する左右一対の側板６１と、表示パネル２及び導光板３の下面を支持する底板６２と、表示パネル２の前面の外周部を支持する前枠６３と、を含む。底板６２の上面には、表示パネル２の突起２２０が収まる凹みが設けられている。左右一対の側板６１のそれぞれの左右方向内側の面には、表示パネル２の左右の突起２３０が収まる凹みが設けられている。
【００３５】
前枠６３は、左右の側板６１の前端部及び底板６２の前端部のそれぞれと一体であり、前方から見て略Ｕ字状である。前枠６３は、表示パネル２の前面の左右の端部と下端部とを前方から支持する。後板６０の後面には、筐体７への取り付けに用いられる取付部６４が設けられている。
【００３６】
パネルケース６には、上面の開口を通じて、表示パネル２と導光板３が収容される。パネルケース６に収容された状態で、表示パネル２の前面の左右の端部と下端部とが前枠６３によって前方から押さえられる。
【００３７】
パネルケース６に収容された表示パネル２のパネル本体２２の後面と、導光板３の前面とは、凸部５を設けた部分において密着し、その他の部分においては、僅かな隙間をおいて位置する。この隙間は、例えば、１ｍｍ以下である。本実施形態では、パネル本体２２の後面の凸部５は導光板３の前面に、押し当たる状態で密着している。
【００３８】
（２−５）筐体
図４に示すように、筐体７は、前面が開口した矩形の箱型である。筐体７には、パネルケース６の取付部６４が取り付けられる被取付部７０と、光源装置４の取付部４３が取り付けられる被取付部７１とが設けられている。筐体７にパネルケース６と光源装置４が取り付けられることで、筐体７の前面の開口の全体が塞がれる。
【００３９】
筐体７にパネルケース６と光源装置４とを取り付けた状態で、導光部材４１の下面（出射面４１１）が、導光板３の上面３０に対向し、カバー４２の一部（前壁４２０の下部）が、表示パネル２の端部２１の前方を覆う。
【００４０】
（２−６）その他
端子台８は、外部電源に接続された電気配線が接続される装置である。電源装置９は、光源装置４の光源４０に電力を供給する装置である。電源装置９は、蓄電池を含む。制御装置１０は、光源４０の点灯・消灯を制御するための装置である。制御装置１０は、回路基板と、その上に実装されて制御回路を構成する回路部品とを有する。
【００４１】
端子台８、電源装置９、及び制御装置１０は、筐体７内に収容され、光源４０に対して直接または間接的に、電気的に接続される。
【００４２】
（３）作用効果
続いて、本実施形態の表示装置１の作用効果について説明する。
【００４３】
表示装置１では、図２に示すように、表示パネル２の端部２１の後面から凸部５が突出しており、表示パネル２と導光板３とは、凸部５が設けられた部分、つまり、表示パネル２の端部２１において密着しやすい。
【００４４】
そのため、表示装置１では、表示パネル２もしくは導光板３に成形時に反りが生じた場合に、表示パネル２と導光板３とが中央部において密着することを、凸部５によって抑制することができる。また、表示装置１では、表示パネル２が周囲の環境の影響を受けて熱収縮を起こして反りが生じた場合にも、表示パネル２と導光板３とが中央部において密着することを、凸部５によって抑制することができる。これにより、表示装置１では、表示パネル２の前面の中央部の輝度がその周囲の部分の輝度よりも高くなることを抑制でき、表示パネル２の前面の輝度ムラが目立ちにくい。
【００４５】
また、表示装置１では、表示パネル２の端部２１の前方がカバー４２の一部で覆われている。そのため、表示パネル２の端部２１の輝度が高くなっても、カバー４２で覆い隠すことができ、表示パネル２の前面に輝度ムラが生じにくい。
【００４６】
また、表示装置１では、表示パネル２の端部２１を、光源装置４の光源４０と導光部材４１を覆うカバー４２の一部で覆っているため、端部２１を覆う専用のカバーを設ける必要がなく、部品点数を抑えることができる。
【００４７】
また、表示装置１では、表示パネル２の端部２１は、表示パネル２の四辺に沿う四つの端部のうち、光源装置４に隣接する一つの辺に沿った端部である。そのため、表示装置１では、光源装置４に虫が集まっても、この虫が表示パネル２と導光板３との間の隙間に侵入することを、凸部５によって抑制することができる。
【００４８】
本実施形態では、凸部５は、表示パネル２の端部２１の全体にわたる長さを有しているため、表示パネル２と導光板３との間の隙間を、左右方向の全体にわたって狭くすることができて、この隙間への虫の侵入を抑制しやすい。
【００４９】
（４）変形例
以上説明した実施形態１の表示装置１の変形例について説明する。
【００５０】
凸部５は、長さ方向にわたって厚みが一定のものに限らず、図５に示す変形例のように、凸部５の長さ方向の中央部は、凸部５の長さ方向の両端部よりも突出長さが大きくてもよい。図５に示す変形例では、凸部５の先端面（後面）は、後方に凸の断面円弧状の湾曲面である。凸部５は、長さ方向の中央部において最も厚みが大きく、長さ方向の両端部では厚みが小さくなっている。
【００５１】
この場合、表示パネル２の一つの辺の全体にわたる長さに凸部５を設けても、表示パネル２の多少の変形が許容される。そのため、表示パネル２を僅かに変形させながら、パネルケース６に対して差し込んで取り付けることができ、表示パネル２の組み付けがしやすい。
【００５２】
なお、凸部５の先端面（後面）は、断面円弧状の湾曲面に限らず、長さ方向の中央部と長さ方向の両端部のそれぞれが平面であり、これらの平面が段差を介して連続する構造であってもよい。この場合も、表示パネル２を僅かに変形させることができ、パネルケース６への組み付けがしやすい。
【００５３】
表示パネル２の端部２１は、表示パネル２のパネル本体２２の４辺に沿う四つの端部のうち、光源装置４に隣接する一つの辺に沿う端部であることが好ましいが、これに限定されない。つまり、表示パネル２の端部２１は、表示パネル２の上端部に限らず、表示パネル２の下端部や、表示パネル２の左右の端部であってもよい。
【００５４】
表示パネル２の端部２１の前方を覆うカバーは、光源４０と導光部材４１を覆うカバー４２の一部に限らず、カバー４２とは別のカバーであってもよい。
【００５５】
また、表示装置１は、表示パネル２の端部２１の前方を覆うカバー（カバー４２）を備えなくてもよい。
【００５６】
また、表示パネル２の形状は、矩形状に限らず、その他の形状であってもよい。
【００５７】
また、凸部５の長さは、表示パネル２の一つの辺の全体にわたる長さに限らず、この一つの辺の長さよりも短くてもよい。
【００５８】
また、凸部５は、表示パネル２の一つの辺に沿って延びる一つの突起に限らず、表示パネル２の端部２１の長さ方向（左右方向）に間隔をおいて配置された複数の突起で構成してもよい。
【００５９】
表示パネル２は、凸部５が導光板３の前面との間に僅かな隙間を形成する状態で、パネルケース６に組み付けてもよい。
【００６０】
表示装置１は、導光板３に対して光源装置４が上側に位置する態様に限らず、下側、右側、あるいは左側に位置する態様で用いてもよい。また、表示装置１は、導光板３が上下方向に沿った厚みを有する態様で用いてもよい。
【００６１】
光源装置４は、導光部材４１を備えず、光源４０として、左右方向に間隔をあけて配置された複数の発光ダイオードを備えたものであってもよいし、また、導光部材４１を備えず、光源４０として、蛍光灯を備えたものであってもよい。
【００６２】
表示装置１は、誘導灯に限らず、避難誘導のための電灯（非常灯）であってもよいし、各種の標識や広告を表示するための電灯であってもよい。
【００６３】
（実施形態２）
続いて、図６に示す実施形態２の表示装置１について説明する。以下では、実施形態２の表示装置１について、実施形態１の表示装置１と共通する構成については、図中に同一の符号を付して詳しい説明を省略し、実施形態１の表示装置１とは異なる構成については詳しく説明する。
【００６４】
実施形態２の表示装置１では、凸部５は、導光板３のうち、表示パネル２の端部２１に対向する部分の前面に設けられている。詳しくは、凸部５は、導光板３の上端部の前面から、前方に向けて突出している。凸部５は、導光板３の上端部の前面に、左右方向の全体にわたって設けられる。導光板３の上端部は、カバー４２によって前方が覆われる部分である。
【００６５】
パネルケース６に収容された表示パネル２のパネル本体２２の後面と、導光板３の前面とは、凸部５を設けた部分において密着し、その他の部分においては、僅かな隙間をおいて位置する。パネル本体２２の後面と導光板３の前面の凸部５は、押し当たる状態で密着している。
【００６６】
実施形態２の表示装置１においても、表示パネル２もしくは導光板３に成形時等に反りが生じても、表示パネル２と導光板３とが中央部において密着することを凸部５によって抑制することができ、表示パネル２の前面の輝度ムラが目立ちにくい。
【００６７】
実施形態２の表示装置１においても、上述した実施形態１の表示装置１の変形例と同様の変形例を適宜採用可能である。
【００６８】
また、凸部５は、表示パネル２の端部２１の後面と、導光板３の端部２１に対向する部分の前面とのそれぞれに、設けてもよい。
【００６９】
（まとめ）
以上説明した実施形態１、２及びその変形例の表示装置１のように、第一態様の表示装置（１）は、下記の構成を備える。
【００７０】
すなわち、第一態様の表示装置（１）は、透光性を有し、かつ前面に絵柄（２０）が設けられた表示パネル（２）と、表示パネル（２）の後方に位置する導光板（３）と、導光板（３）に向けて光を出射する光源装置（４）と、を備える。表示パネル（２）の端部（２１）の後面と、導光板（３）の端部（２１）に対向する部分の前面の少なくとも一方に、凸部（５）が設けられている。
【００７１】
上記構成を備えることで、第一態様の表示装置（１）では、表示パネル（２）と導光板（３）とは、凸部（５）が設けられた部分、つまり、表示パネル（２）の端部（２１）において密着しやすい。そのため、第一態様の表示装置（１）では、表示パネル（２）もしくは導光板（３）に成形時等に反りが生じた場合にも、表示パネル（２）の前面の中央部に輝度の高い部分が生じることを抑制でき、輝度ムラが目立ちにくい。
【００７２】
また、実施形態１，２及びその変形例の表示装置１のように、第二態様の表示装置（１）は、第一態様の表示装置（１）の構成に加えて、下記の構成を付加的に備える。
【００７３】
すなわち、第二態様の表示装置（１）は、表示パネル（２）の端部（２１）の前方を覆うカバー（カバー４２）を更に備える。
【００７４】
上記構成を備えることで、第二態様の表示装置（１）では、表示パネル（２）の端部（２１）が導光板（３）に密着して、表示パネル（２）の端部（２１）の前面に輝度が高い部分が生じても、この輝度が高い部分をカバー（カバー４２）で覆い隠すことができる。そのため、第二態様の表示装置（１）では、表示パネル（２）の前面の見える部分に輝度ムラが生じにくい。
【００７５】
また、実施形態１，２及びその変形例の表示装置１のように、第三態様の表示装置（１）は、第一又は第二態様の表示装置（１）の構成に加えて、下記の構成を付加的に備える。
【００７６】
すなわち、第三態様の表示装置（１）では、表示パネル（２）は、四辺を有する矩形状のパネルであり、凸部（５）は、四辺のうちの一つの辺に沿って延びている。
【００７７】
上記構成を備えることで、第三態様の表示装置（１）では、表示パネル（２）と導光板（３）との間の隙間への虫の侵入を、表示パネル（２）の四辺のうちの一つに沿って延びた凸部（５）によって防ぎやすい。
【００７８】
また、実施形態１，２及びその変形例の表示装置（１）のように、第四態様の表示装置（１）は、第三態様の表示装置（１）の構成に加えて、下記の構成を備える。
【００７９】
すなわち、第四態様の表示装置（１）では、凸部（５）は、表示パネル（２）の一つの辺の全体にわたる長さを有する。
【００８０】
上記構成を備えることで、第四態様の表示装置（１）では、表示パネル（２）と導光板（３）との間の隙間への虫の侵入を、凸部（５）によって更に防ぎやすい。
【００８１】
また、実施形態１，２の変形例の表示装置１のように、第五態様の表示装置（１）は、第四態様の表示装置（１）の構成に加えて、下記の構成を備える。
【００８２】
すなわち、第五態様の表示装置（１）では、凸部（５）の長さ方向における中央部は、凸部（５）の長さ方向における両端部よりも突出長さが大きい。
【００８３】
上記構成を備えることで、第五態様の表示装置（１）では、凸部（５）を表示パネル（２）の一つの辺の全体にわたる長さに設けた場合でも、表示パネル（２）の多少の変形が許容される。そのため、第五態様の表示装置（１）では、表示パネル（２）を多少変形させながら取付先（パネルケース６）へ差し込んで取り付けることができ、表示パネル（２）の組み付けがしやすい。
【００８４】
以上、本開示を添付図面に示す実施形態に基づいて説明したが、本開示は上記の実施形態に限定されるものではなく、本発明の意図する範囲内であれば、適宜の設計変更が可能である。
【符号の説明】
【００８５】
１      表示装置
２      表示パネル
２０    絵柄
２１    端部
３      導光板
４      光源装置
４２    カバー
５      凸部
【図１】
2020140132.tif 000003
【図２】
2020140132.tif 000004
【図３】
2020140132.tif 000005
【図４】
2020140132.tif 000006
【図５】
2020140132.tif 000007
【図６】
2020140132.tif 000008